(57)【要約】      （修正有）【課題】紙詰まりの状況を改善することができる用紙ピックアップ構造を提供する。【解決手段】給紙経路２０と、給紙経路に設けられる用紙ピックアップローラー３０と、用紙ピックアップローラーの上流側に設けられる給紙トレイ４０と、用紙ピックアップローラーの両側に配置される用紙ガイドスイングアーム５０とを有し、用紙ガイドスイングアームは、枢軸５１、ストッパーブロック５２、及び枢軸とストッパーブロックとを連結する延伸アーム５３を有し、ストッパーブロックは、用紙を止めるために用紙ピックアップローラーと給紙トレイとの間に設けられ、枢軸の軸方向と給紙経路の給紙方向のなす角度は９０°より小さい。【選択図】図１
0003222043.tif 000002
【実用新案登録請求の範囲】
【請求項１】
給紙経路と、
前記給紙経路に設けられる用紙ピックアップローラーと、
前記用紙ピックアップローラーの上流側に設けられる給紙トレイと、
前記用紙ピックアップローラーの両側に配置される用紙ガイドスイングアームと、
を有し、
前記用紙ガイドスイングアームは、枢軸、ストッパーブロック、及び前記枢軸と前記ストッパーブロックとを連結する延伸アームを有し、
前記ストッパーブロックは、用紙を止めるために前記用紙ピックアップローラーと前記給紙トレイとの間に設けられ、
前記枢軸の軸方向は、前記用紙ピックアップローラーの回転軸方向に対して斜交している、
用紙ピックアップ構造。
【請求項２】
前記枢軸は、前記用紙ピックアップローラーの上流側に設けられる、請求項１に記載の用紙ピックアップ構造。
【請求項３】
前記枢軸は、前記用紙ピックアップローラーの下流側に設けられる、請求項１に記載の用紙ピックアップ構造。
【請求項４】
前記延伸アームの片側に設けられ、前記延伸アームと接するストッパーシートがさらに設けられる、請求項１に記載の用紙ピックアップ構造。
【請求項５】
前記ストッパーシートと前記延伸アームとの接触面が傾斜面である、請求項４に記載の用紙ピックアップ構造。
【請求項６】
前記枢軸にトーションバーがさらに設けられる、請求項１に記載の用紙ピックアップ構造。
【請求項７】
前記延伸アームは、前記用紙ピックアップローラーと接する、請求項１に記載の用紙ピックアップ構造。
【請求項８】
前記枢軸の軸方向と前記給紙経路の給紙方向のなす角度が９０°より小さい、請求項１に記載の用紙ピックアップ構造。
【考案の詳細な説明】
【技術分野】
【０００１】
本考案は、用紙ピックアップ構造、特に紙詰まりの状況を改善する用紙ピックアップ構造に関する。
【背景技術】
【０００２】
用紙ガイドスイングアームを利用して給紙ホイールと給紙トレイを分離する給紙デバイスが知られている。前記給紙デバイスは、給紙ホイール、前記給紙ホイールの上流側に設けられる給紙トレイ、及び前記給紙ホイールと前記給紙トレイとの間に設けられる用紙ガイドスイングアームを有する。また、前記用紙ガイドスイングアームは、垂直給紙方向の枢軸に沿って自由に回転し、それ自体の重量によって前記給紙ホイールと前記給紙トレイとの間の位置まで回転することで、用紙を止める。
【考案の概要】
【考案が解決しようとする課題】
【０００３】
本考案の目的は、紙詰まりの状況を改善するための用紙ピックアップ構造を提供する。
【課題を解決するための手段】
【０００４】
上記目的を実現させるため、本考案の用紙ピックアップ構造は、給紙経路と、前記給紙経路に設けられる用紙ピックアップローラーと、前記用紙ピックアップローラーの上流側に設けられる給紙トレイと、前記用紙ピックアップローラーの両側に配置される用紙ガイドスイングアームとを有する。前記用紙ガイドスイングアームは、枢軸、ストッパーブロック、及び前記枢軸と前記ストッパーブロックとを連結する延伸アームを有する。前記ストッパーブロックは、用紙を止めるために前記用紙ピックアップローラーと前記給紙トレイとの間に設けられる。前記枢軸の軸方向Ｘは、前記用紙ピックアップローラーの回転軸方向に対して斜交している。
【０００５】
好ましい実施例において、前記枢軸は、前記用紙ピックアップローラーの上流側に設けられる。
【０００６】
好ましい実施例において、前記枢軸は、前記用紙ピックアップローラーの下流側に設けられる。
【０００７】
好ましい実施例において、前記延伸アームの片側に設けられ、前記延伸アームと接するストッパーシートがさらに設けられる。
【０００８】
好ましい実施例において、前記ストッパーシートと前記延伸アームとの接触面は傾斜面である。
【０００９】
好ましい実施例において、前記枢軸にトーションバーがさらに設けられる。
【００１０】
好ましい実施例において、前記延伸アームは、前記用紙ピックアップローラーと接する。
【００１１】
好ましい実施例において、前記用紙ガイドスイングアームの枢軸の軸方向と前記給紙経路の給紙方向のなす角度は９０°より小さい。
【考案の効果】
【００１２】
本考案によると、紙詰まりの状況を改善することができる。
【図面の簡単な説明】
【００１３】
【図１】用紙ピックアップ構造の断面模式図である。
【図２】用紙ピックアップローラー及び用紙ガイドスイングアームの斜視図である。
【図３】用紙ガイドスイングアームが給紙待ち用紙によって押される模式図である。
【図４】用紙ガイドスイングアームが受給紙待ち用紙によって押される模式図である。
【図５】第２実施例の平面図である。
【図６】第３実施例の平面図である。
【図７】第４実施例の平面図である。
【図８】第５実施例の平面図である。
【図９Ａ】第６実施例の斜視図である。
【図９Ｂ】第７実施例の斜視図である。
【図１０】第８実施例の斜視図である。
【図１１】第９実施例の斜視図である。
【図１２Ａ】第１０実施例の斜視図である。
【図１２Ｂ】第１１実施例の斜視図である。
【考案を実施するための形態】
【００１４】
本考案の技術的な内容を詳細に説明するため、例を挙げ図面を使いながらその構造的な特徴、達成できる目的及び効果を説明する。
【００１５】
図１及び図２において、本案の第１実施例を示す。第１実施例において、用紙ピックアップ構造１０は、給紙経路２０と、前記給紙経路２０に設けられる用紙ピックアップローラー３０と、前記用紙ピックアップローラー３０の上流側に設けられる給紙トレイ４０と、前記用紙ピックアップローラー３０の両側に配置される用紙ガイドスイングアーム５０とを有する。前記用紙ガイドスイングアーム５０は、枢軸５１、ストッパーブロック５２、及び前記枢軸５１と前記ストッパーブロック５２とを連結する延伸アーム５３を有する。前記実施例において、前記用紙ガイドスイングアーム５０は、前記枢軸５１による本体（図示せず）とのピン接合によって、前記用紙ピックアップローラー３０の両側において位置が固定されている。前記枢軸５１の軸方向Ｘは給紙経路２０の給紙方向Ｄと平行となる。前記延伸アーム５３は、前記枢軸５１から前記用紙ピックアップローラー３０の方向に延伸される。前記ストッパーブロック５２は、用紙を止めるために前記用紙ピックアップローラー３０と前記給紙トレイ４０との間に設けられる。
【００１６】
図３及び図４を参考にしながら説明する。給紙用紙７０がその給紙途中に前記ストッパーブロック５２によって止められた場合、給紙用紙７０は、前記ストッパーブロック５２に対して用紙の給紙方向Ｄと同じ方向の作用力Ｆを与える。また、前記ストッパーブロック５２と給紙用紙７０との接触面６１は斜面となるため、前記作用力Ｆは、前記ストッパーブロック５２に対して前記斜面と垂直であるベクトルＦｖ、及び前記斜面と平行であるベクトルＦｈを生じる。各作用力のベクトルは、それぞれ前記用紙ガイドスイングアーム５０に対してトルクを生じる。斜面と垂直する作用力ベクトル及び斜面と平行する作用力ベクトルは、それぞれ垂直トルク及び平行トルクを生じ、それらが合わさり合力トルクとなる。前記合力トルクによって、前記用紙ガイドスイングアーム５０は、給紙用紙７０が通過する時に前記ストッパーブロック５２を持ち上げる。前記斜面の角度を変えることで、前記作用力Ｆにおける前記斜面と垂直するベクトルＦｖ及び前記斜面と平行するＦｈを変えることができ、それにより合力トルクの大きさを変えることができる。
【００１７】
図１及び図５において、本案の第２実施例を示す。第２実施例において、用紙ピックアップ構造１０は、給紙経路２０、前記給紙経路２０に設けられる用紙ピックアップローラー３０、前記用紙ピックアップローラー３０の上流側に設けられる給紙トレイ４０、及び前記用紙ピックアップローラー３０の両側に配置される用紙ガイドスイングアーム５０を有する。前記用紙ガイドスイングアーム５０は、枢軸５１、ストッパーブロック５２、及び前記枢軸５１と前記ストッパーブロック５２とを連結する延伸アーム５３を有する。前記実施例において、前記用紙ガイドスイングアーム５０は、前記枢軸５１によって前記用紙ピックアップローラー３０の両側に対しピン接合して固定され、且つ上流側に寄る。また、前記枢軸５１の軸方向Ｘが給紙経路２０の給紙方向Ｄと平行となる。前記延伸アーム５３は、前記用紙ピックアップローラー３０の方向に延伸される。前記ストッパーブロック５２は、用紙を止めるために前記用紙ピックアップローラー３０と前記給紙トレイ４０との間に設けられる。
【００１８】
図１及び図６において、本案の第３実施例を示す。第３実施例において、用紙ピックアップ構造１０は、給紙経路２０、前記給紙経路２０に設けられる用紙ピックアップローラー３０、前記用紙ピックアップローラー３０の上流側に設けられる給紙トレイ４０、及び前記用紙ピックアップローラー３０の両側に配置する用紙ガイドスイングアーム５０を有する。前記用紙ガイドスイングアーム５０は、枢軸５１、ストッパーブロック５２、及び前記枢軸５１と前記ストッパーブロック５２とを連結する延伸アーム５３を有する。前記実施例において、前記用紙ガイドスイングアーム５０は、前記枢軸５１によって前記用紙ピックアップローラー３０の両側に対しピン接合して固定され、且つ下流側に寄る。前記枢軸５１の軸方向Ｘは給紙経路２０の給紙方向Ｄと平行となる。前記延伸アーム５３は、前記用紙ピックアップローラー３０の方向に延伸される。前記ストッパーブロック５２は、用紙を止めるために前記用紙ピックアップローラー３０と前記給紙トレイ４０との間に設けられる。
【００１９】
図１及び図７において、本案の第４実施例を示す。第４実施例において、用紙ピックアップ構造１０は、給紙経路２０、前記給紙経路２０に設けられる用紙ピックアップローラー３０、前記用紙ピックアップローラー３０の上流側に設けられる給紙トレイ４０、及び前記用紙ピックアップローラー３０の両側に配置する用紙ガイドスイングアーム５０を有する。前記用紙ガイドスイングアーム５０は、枢軸５１、ストッパーブロック５２、及び前記枢軸５１と前記ストッパーブロック５２とを連結する延伸アーム５３を有する。前記実施例において、前記用紙ガイドスイングアーム５０は、前記枢軸５１によって前記用紙ピックアップローラー３０の両側にピン接合して固定され、左右両端の枢軸５１は、それぞれ上流側寄りの場所及び下流側寄りの場所に設けられる。前記枢軸５１の軸方向Ｘ給紙経路２０の給紙方向Ｄと平行となる。前記延伸アーム５３は、前記用紙ピックアップローラー３０の方向に延伸される。前記ストッパーブロック５２は、用紙を止めるために前記用紙ピックアップローラー３０と前記給紙トレイ４０との間に設けられる。
【００２０】
図１及び図８において、本案の第５実施例を示す。於第５実施例において、用紙ピックアップ構造１０は、給紙経路２０、前記給紙経路２０に設けられる用紙ピックアップローラー３０、前記用紙ピックアップローラー３０の上流側に設けられる給紙トレイ４０、及び前記用紙ピックアップローラー３０の両側に配置する用紙ガイドスイングアーム５０を有する。前記用紙ガイドスイングアーム５０は、枢軸５１、ストッパーブロック５２、及び前記枢軸５１と前記ストッパーブロック５２とを連結する延伸アーム５３を有する。前記実施例において、前記用紙ガイドスイングアーム５０は、前記枢軸５１によって前記用紙ピックアップローラー３０の両側にピン接合して固定される。前記枢軸５１の軸方向Ｘと前記給紙経路２０の給紙方向Ｄのなす角度が０°より大きく９０°より小さい。前記延伸アーム５３は、前記用紙ピックアップローラー３０の方向に延伸される。前記ストッパーブロック５２は、用紙を止めるために前記用紙ピックアップローラー３０と前記給紙トレイ４０との間に設けられる。前記枢軸５１の軸方向Ｘと前記給紙経路２０の給紙方向Ｄのなす角度を調整することで、給紙用紙７０の作用力Ｆ、及び前記枢軸５１の軸方向Ｘのなす角度を変えることで、合力トルクの大きさを変える。
【００２１】
図９Ａにおいて、本案の第６実施例を示す。本実施例において、用紙分離能力を向上させるために、前記用紙ピックアップ構造１０には、ストッパーシート６０がさらに設けられる。  前記ストッパーシート６０は、前記延伸アーム５３の片側に設けられ、前記延伸アーム５３と接する。本実施例において、前記ストッパーシート６０によって前記延伸アーム５３に抵抗を与えることで、前記ストッパーブロック５２の用紙止め能力を向上できる。
【００２２】
図９Ｂにおいて、本案の第７実施例を示す。本実施例において、前記ストッパーシート６０と前記延伸アーム５３との接触面６１が傾斜面であるため、前記給紙用紙７０と前記ストッパーブロック５２が接触する初期に、前記ストッパーシート６０が前記延伸アーム５３に追加の抵抗を与えない。しかしながら、前記ストッパーブロック５２が特定高さまで持ち上げられたとき、前記ストッパーシート６０が前記延伸アーム５３と接して追加の抵抗を与えることで、前記ストッパーブロック５２の用紙止め能力を向上できる。
【００２３】
図１０において、本案の第８実施例を示す。本実施例において、用紙分離能力をさらに向上させるために、前記用紙ピックアップ構造１０には、トーションバー６２がさらに設けられる。前記トーションバー６２は、前記枢軸５１に設けられ、前記延伸アーム５３に対して復元トルクを与え  、前記ストッパーブロック５２の用紙止め能力を向上できる。
【００２４】
図１１において、本案の第９実施例を示す。本実施例において、用紙分離能力をさらに向上させるために、前記延伸アーム５３と前記用紙ピックアップローラー３０とを接触させ、前記用紙ピックアップローラー３０によって前記延伸アーム５３に対して抵抗を与え、前記ストッパーブロック５２の用紙止め能力を向上できる。
【００２５】
図１２Ａ及び図１２Ｂにおいて、本案の第１０実施例及び第１１実施例を示す。第１０実施例において、前記用紙ガイドスイングアーム５０は、枢軸５１、ストッパーブロック５２、及び前記枢軸５１と前記ストッパーブロック５２とを連結する延伸アーム５３を有する。前記枢軸５１の軸方向Ｘと前記給紙経路２０の給紙方向Ｄのなす角度が仰角となる。前記延伸アーム５３は、前記用紙ピックアップローラー３０の方向に延伸される。前記ストッパーブロック５２は、用紙を止めるために前記用紙ピックアップローラー３０と前記給紙トレイ４０との間に設けられる。第１１実施例において、前記用紙ガイドスイングアーム５０は、枢軸５１、ストッパーブロック５２、及び前記枢軸５１と前記ストッパーブロック５２とを連結する延伸アーム５３を有する。前記枢軸５１の軸方向Ｘと前記給紙経路２０の給紙方向Ｄのなす角度が俯角となる。前記延伸アーム５３は、前記用紙ピックアップローラー３０の方向に延伸される。前記ストッパーブロック５２は、用紙を止めるために前記用紙ピックアップローラー３０と前記給紙トレイ４０との間に設けられる。
【００２６】
上記内容をまとめ、本案は、前記枢軸５１と給紙経路２０の給紙方向のなす角度を変えることで、紙詰まりの状況を改善する効果を奏する。
【符号の説明】
【００２７】
１０  用紙ピックアップ構造
２０  給紙経路
３０  用紙ピックアップローラー
４０  給紙トレイ
５０  用紙ガイドスイングアーム
５１  枢軸
５２  ストッパーブロック
５３  延伸アーム
６０  ストッパーシート
６１  接触面
６２  トーションバー
７０  被給紙用紙
【図１】
0003222043.tif 000003
【図２】
0003222043.tif 000004
【図３】
0003222043.tif 000005
【図４】
0003222043.tif 000006
【図５】
0003222043.tif 000007
【図６】
0003222043.tif 000008
【図７】
0003222043.tif 000009
【図８】
0003222043.tif 000010
【図９Ａ】
0003222043.tif 000011
【図９Ｂ】
0003222043.tif 000012
【図１０】
0003222043.tif 000013
【図１１】
0003222043.tif 000014
【図１２Ａ】
0003222043.tif 000015
【図１２Ｂ】
0003222043.tif 000016